【手続補正書】
【提出日】平成28年2月10日(2016.2.10)
【手続補正１】
【補正対象書類名】明細書
【補正対象項目名】０００６
【補正方法】変更
【補正の内容】
【０００６】
前記課題を解決するため、本発明にあっては、複数の物体について、その重量と外観上の特徴情報とが予め対応付けて記憶された重量情報記憶手段と、第１の物体と第２の物体とが混在した状態の被計量物の総重量を取得する第１の重量取得手段と、前記第１の物体と前記第２の物体とが混在した状態の前記被計量物の撮影画像を取得する画像取得手段と、前記重量情報記憶手段に記憶されている複数の物体の外観上の特徴情報の中から、前記画像取得手段により取得された前記被計量物の撮影画像における前記第２の物体に一致すると判断できる特定の物体の外観上の特徴情報を特定する特定手段と、前記特定手段より特定された前記特定の物体の外観上の特徴情報と対応付けて前記重量情報記憶手段に予め記憶されている重量を取得する第２の重量取得手段と、前記第１の重量取得手段によって取得された前記被計量物の総重量から、前記第２の重量取得手段により取得された前記特定の物体の重量を差し引くことにより、前記第１の物体の正味重量を算出する重量算出手段とを備えたことを特徴とする。
【手続補正２】
【補正対象書類名】特許請求の範囲
【補正対象項目名】全文
【補正方法】変更
【補正の内容】
【特許請求の範囲】
【請求項１】
複数の物体について、その重量と外観上の特徴情報とが予め対応付けて記憶された重量情報記憶手段と、
第１の物体と第２の物体とが混在した状態の被計量物の総重量を取得する第１の重量取得手段と、
前記第１の物体と前記第２の物体とが混在した状態の前記被計量物の撮影画像を取得する画像取得手段と、
前記重量情報記憶手段に記憶されている複数の物体の外観上の特徴情報の中から、前記画像取得手段により取得された前記被計量物の撮影画像における前記第２の物体に一致すると判断できる特定の物体の外観上の特徴情報を特定する特定手段と、
前記特定手段より特定された前記特定の物体の外観上の特徴情報と対応付けて前記重量情報記憶手段に予め記憶されている重量を取得する第２の重量取得手段と、
前記第１の重量取得手段によって取得された前記被計量物の総重量から、前記第２の重量取得手段により取得された前記特定の物体の重量を差し引くことにより、前記第１の物体の正味重量を算出する重量算出手段と
を備えたことを特徴とする重量取得支援装置。
【請求項２】
前記第１の重量取得手段は、任意の物体の重量を計測する計量手段で計測された重量を取得し、
前記画像取得手段は、任意の物体を撮影する撮影手段で撮影された撮影画像を取得し、
前記第１の重量取得手段により総重量を取得する被計量物と、前記画像取得手段により撮影画像を取得する被計量物とが、前記第１の物体と前記第２の物体とを含む同じ被計量物となるように、前記計量手段による計測動作または前記撮影手段による撮影動作を制御する第１の制御手段を更に備えることを特徴とする請求項１記載の重量取得支援装置。
【請求項３】
前記第１の制御手段は、前記計量手段による計測動作と前記撮影手段による撮影動作のタイミングが同じになるように、前記計量手段による計測動作または前記撮影手段による撮影動作を制御する制御することを特徴とする請求項２記載の重量取得支援装置。
【請求項４】
前記第１の制御手段は、前記計量手段により前記被計量物の総重量が計測されたことに応答し、前記撮影手段により自動的に前記被計量物の撮影画像を撮影させるか、あるいは、前記撮影手段により前記被計量物の撮影画像が撮影されたことに応答し、前記計量手段により自動的に前記被計量物の総重量を計測させることを特徴とする請求項３記載の重量取得支援装置。
【請求項５】
前記第１の重量取得手段による前記被計量物の総重量の取得と、前記第２の重量取得手段による前記特定の物体の重量の取得が行われたことに応答し、前記重量算出手段による前記第１の物体の正味重量の算出を行う第２の制御手段を更に備えることを特徴とする請求項１乃至４のいずれかに記載の重量取得支援装置。
【請求項６】
前記計量手段として機能する、前記被計量物の重量の計測に際し前記被計量物を載置する計量部と、
前記撮影手段として機能する、前記計量部と一体的に設けられるとともに、前記計量部の位置及び大きさに応じた所定の範囲を撮影範囲として設定された撮影部と、
を更に備えることを特徴とする請求項２乃至５のいずれかに記載の重量取得支援装置。
【請求項７】
撮影手段により取得された任意の物体の撮影画像を当該物体の外観上の特徴情報とし、この撮影画像と、計量手段により計測された当該物体の重量とを対応付けて前記重量情報記憶手段に記憶させる記憶制御手段をさらに備えたことを特徴とする請求項１乃至６のいずれかに記載の重量取得支援装置。
【請求項８】
前記特定手段は、前記画像取得手段により取得された前記被計量物の撮影画像から前記第２の物体に該当する特定部分を認識し、認識した特定部分を、前記重量情報記憶手段に記憶されている複数の物体の外観上の特徴情報の各々と比較することによって、前記第２の物体に一致すると判断できる特定の物体の外観上の特徴情報を特定することを特徴とする請求項１乃至７のいずれかに記載の重量取得支援装置。
【請求項９】
前記第１の物体は料理であり、かつ前記第２の物体は前記料理が盛られた器であり、
複数の料理の単位重量当たりの熱量と撮影画像とが予め対応付けて記憶された熱量情報記憶手段と、
前記熱量情報記憶手段に記憶されている複数の料理の撮影画像の中から、前記画像取得手段により取得された前記被計量物の撮影画像における前記料理に一致すると判断できる特定の料理の撮影画像を特定する第２の特定手段と、
前記第２の特定手段より特定された前記特定の料理の撮影画像と対応付けて前記熱量情報記憶手段に予め記憶されている単位重量当たりの熱量を取得する第１の熱量取得手段と、
前記重量算出手段により算出された前記正味重量に、前記第１の熱量取得手段により取得された前記熱量を乗じることにより、前記料理の総熱量を取得する第２の熱量取得手段と
をさらに備えたことを特徴とする請求項１乃至８のいずれかに記載の重量取得支援装置。
【請求項１０】
第１の物体と第２の物体とが混在した状態の被計量物の総重量を取得する工程と、
前記第１の物体と前記第２の物体とが混在した状態の前記被計量物の撮影画像を取得する工程と、
複数の物体について、その重量と外観上の特徴情報とが予め対応付けて記憶された重量情報記憶手段に記憶されている複数の物体の外観上の特徴情報の中から、前記被計量物の撮影画像における前記第２の物体に一致すると判断できる特定の物体の外観上の特徴情報を特定する工程と、
前記特定の物体の外観上の特徴情報と対応付けて前記重量情報記憶手段に記憶されている重量を取得する工程と、
前記被計量物の総重量から前記特定の物体の重量を差し引くことにより、前記第１の物体の正味重量を算出する工程と
を含むことを特徴とする重量取得支援方法。
【請求項１１】
コンピュータに、
第１の物体と第２の物体とが混在した状態の被計量物の総重量を取得する処理と、
前記第１の物体と前記第２の物体とが混在した状態の前記被計量物の撮影画像を取得する処理と、
複数の物体について、その重量と外観上の特徴情報とが予め対応付けて記憶された重量情報記憶手段に記憶されている複数の物体の外観上の特徴情報の中から、前記被計量物の撮影画像における前記第２の物体に一致すると判断できる特定の物体の外観上の特徴情報を特定する処理と、
前記特定の物体の外観上の特徴情報と対応付けて前記重量情報記憶手段に記憶されている重量を取得する処理と、
前記被計量物の総重量から前記特定の物体の重量を差し引くことにより、前記第１の物体の正味重量を取得する処理と
を実行させることを特徴とするプログラム。